(57)【要約】【課題】一度描画に用いた印刷ジョブに基づく再描画を指示されたときに、再描画用の印刷ジョブを効率よく再生成する描画方法を提供する。【解決手段】既に描画に用いた印刷ジョブに基づく再印刷を指示された場合に、まず、ステップＳ２１に示すように、デバイス依存ジョブはジョブマネージャー１１０のリストに表示せずに、所望の画像のデバイス非依存ジョブのプロパティーとして該デバイス非依存ジョブに対応するデバイス依存ジョブが有れば(ステップＳ２１でＹＥＳ）、そのデバイス依存ジョブを次の描画の印刷ジョブとし、ステップＳ４に移行して該デバイス依存ジョブにより以降のステップを進めて再描画を行う。これにより、ユーザーの手を煩わせることなく、バックグランドで処理されたデバイス依存ジョブを選択してその処理時間のみで再描画することができる。【選択図】図２
2013161156.tif 000002
【特許請求の範囲】
【請求項１】
デバイス非依存ジョブを保持するデバイス非依存ジョブ保持部、及び、デバイス依存ジョブを保持するデバイス依存ジョブ保持部を含むジョブストレージと、
前記デバイス非依存ジョブ及び前記デバイス依存ジョブを制御するジョブマネージャーと、
前記デバイス非依存ジョブに基づいて画像データを作成して一時待機させるジョブハンドラーと、
最新の前記デバイス依存ジョブの有効性を監視し該有効性の判定結果を印刷ジョブの生成に反映させるデバイス依存ジョブ有効性監視モジュールと、
前記画像データ及びデバイス調整情報を参照し、必要に応じてデバイス調整処理を行って当該描画の描画条件に従った前記デバイス依存ジョブを生成するコマンドジェネレーターと、
を含む印刷データ処理部と、
前記印刷データ処理部から印刷ジョブとしてのデバイス依存ジョブを受信してプリントアウトを出力するプリンター部と、
を備えた描画システムを用いた描画方法であって、
一度描画に用いた前記デバイス依存ジョブに基づく再描画を指示されたときに、前記ジョブストレージに保持された前記デバイス依存ジョブまたは前記デバイス非依存ジョブを用いて該再描画に用いる前記デバイス依存ジョブを再生成することを特徴とする描画方法。
【請求項２】
請求項１に記載の描画方法において、
前記再描画を指示されたときに、前記デバイス依存ジョブは前記ジョブマネージャーのリストに表示せずに、所望の画像の前記デバイス非依存ジョブに対応する前記デバイス依存ジョブを次の描画の印刷ジョブとして用いることを特徴とする描画方法。
【請求項３】
請求項１に記載の描画方法において、
前記再描画を指示されたときに、前記ジョブマネージャーを操作して前記デバイス依存ジョブ保持部内に格納された過去に登録した前記デバイス依存ジョブを選択し、該デバイス依存ジョブを次の描画の印刷ジョブとして用いることを特徴とする描画方法。
【請求項４】
請求項１〜３のいずれか一項に記載の描画方法において、
前記描画システムは、画像濃度の補正に用いられるデバイス調整情報を保持するデバイス調整情報保持部を更に備え、
デバイス調整を行った後で前記再描画を指示されたときに、
デバイス調整後に、該デバイス調整情報を前記デバイス調整情報保持部に登録した後で、前記デバイス依存ジョブ保持部内のすべての前記デバイス依存ジョブを削除するとともに、
バックグランドにおいて、前記ジョブハンドラーにより前記デバイス非依存ジョブに基づいて画像データを生成し、該画像データを前記コマンドジェネレーターに出力し、該コマンドジェネレーターにより、前記ジョブハンドラーから入力した前記画像データと、前記デバイス調整情報保持部の前記デバイス調整情報とを参照し、必要に応じた前記画像データ調整・処理を施して再描画用の前記デバイス依存ジョブを再生成することを特徴とする描画方法。
【発明の詳細な説明】
【技術分野】
【０００１】
本発明は、描画方法に関する。
【背景技術】
【０００２】
近年、インクジェットプリンターやカラーレーザービームプリンター等のデジタルカラー印刷装置が普及してきており、高解像度化とともに、同じ印刷実行データにて繰り返し描画を行なったときの描画品質の劣化防止が図られている。
例えば特許文献１に、現在の印刷濃度補正情報を取得して、該現在の印刷濃度補正情報と、元の濃度補正情報との差があった場合に、現在の印刷濃度補正情報に基づいて再印刷用の印刷ジョブを再生成する描画方法が示されている。
【０００３】
特許文献１に記載の描画方法では、作成済みの印刷ジョブ（印刷実行データ）による印刷（再印刷）が指示された場合に、再印刷する印刷ジョブ（デバイス非依存ジョブ）を選択するとともに、現在の印刷濃度補正情報を取得し、該現在の印刷濃度補正情報と、デバイス非依存ジョブとともに格納されている濃度補正情報とを比較してこれらが異なるかどうかを判断する。そして、これらが異なっている場合は、そのデバイス非依存ジョブを削除して、指示された印刷ジョブを取得し、レンダリング処理や、上記現在の印刷濃度補正情報を用いた濃度補正処理、及び、ハーフトーン処理を行って印刷ジョブ（デバイス依存ジョブ）を再生成し、この再生成した印刷ジョブにより再印刷を行なう。この方法により、再印刷を繰り返していったときに、環境の変化や部品等の消耗により描画品質の劣化が発生した場合でも、常に最適な画像を得ることを可能としている。
【先行技術文献】
【特許文献】
【０００４】
【特許文献１】特開２００６−８２４８２号公報
【発明の概要】
【発明が解決しようとする課題】
【０００５】
しかしながら、特許文献１に記載の描画方法では、再印刷の指示をしてから、現在の印刷濃度補正情報を取得したり、該現在の印刷濃度補正情報と元々記憶部に格納された濃度補正情報とを比較したうえで、レンダリング処理や濃度補正処理、及び、ハーフトーン処理などを行って再印刷するための印刷ジョブを再生成するので、再印刷の指示から再印刷が開始されるまでの時間が掛かるという問題があった。特に、描画する画像の高解像度化に伴ってデータ量が多くなった場合には、生産効率を著しく低下させる虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る描画方法は、デバイス非依存ジョブを保持するデバイス非依存ジョブ保持部、及び、デバイス依存ジョブを保持するデバイス依存ジョブ保持部を含むジョブストレージと、前記デバイス非依存ジョブ及び前記デバイス依存ジョブを制御するジョブマネージャーと、前記デバイス非依存ジョブに基づいて画像データを作成して一時待機させるジョブハンドラーと、最新の前記デバイス依存ジョブの有効性を監視し該有効性の判定結果を印刷ジョブの生成に反映させるデバイス依存ジョブ有効性監視モジュールと、前記画像データ及びデバイス調整情報を参照し、必要に応じてデバイス調整処理を行って当該描画の描画条件に従った前記デバイス依存ジョブを生成するコマンドジェネレーターと、を含む印刷データ処理部と、前記印刷データ処理部から印刷ジョブとしてのデバイス依存ジョブを受信してプリントアウトを出力するプリンター部と、を備えた描画システムを用いた描画方法であって、一度描画に用いた前記デバイス依存ジョブに基づく再描画を指示されたときに、前記ジョブストレージに保持された前記デバイス依存ジョブまたは前記デバイス非依存ジョブを用いて該再描画に用いる前記デバイス依存ジョブを再生成することを特徴とする。
【０００８】
本適用例によれば、予めジョブストレージ内に保持されたデバイス非依存ジョブや、描画するために生成したデバイス依存ジョブ、あるいは、描画の実行によりバックグランドで処理され登録されるデバイス依存ジョブから適切な印刷ジョブを選択し、それに基づいて再描画用の印刷ジョブ（デバイス依存ジョブ）を生成することができる。したがって、再印刷が指示されてからコマンドジェネレーターにより複雑な処理を行って印刷ジョブを再生成する従来の方法に比して、印刷開始までの時間を短縮することができるので、生産性の向上を図ることができる。
【０００９】
［適用例２］上記適用例に記載の描画方法において、前記再描画を指示されたときに、前記デバイス依存ジョブは前記ジョブマネージャーのリストに表示せずに、所望の画像の前記デバイス非依存ジョブに対応する前記デバイス依存ジョブを次の描画の印刷ジョブとして用いることを特徴とする。
【００１０】
本適用例によれば、作成済みの印刷実行データにより再印刷が指示されたときに、ユーザーの手を煩わせることなく、バックグランドで処理されたデバイス依存ジョブを選択してその処理時間のみで再印刷（描画）することができるので、より顕著に生産性を向上させることができる。
【００１１】
［適用例３］上記適用例に記載の描画方法において、前記再描画を指示されたときに、前記ジョブマネージャーを操作して前記デバイス依存ジョブ保持部内に格納された過去に登録した前記デバイス依存ジョブを選択し、該デバイス依存ジョブを次の描画の印刷ジョブとして用いることを特徴とする。
【００１２】
本適用例によれば、作成済みの印刷実行データにより再印刷が指示されたときに、デバイス非依存ジョブに対応するデバイス依存ジョブがない場合でも、バックグランドで処理されたデバイス依存ジョブを選択してその処理時間のみで再描画を開始することができるので、生産性を向上させることができる。
【００１３】
［適用例４］上記適用例に記載の描画方法において、前記描画システムは、画像濃度の補正に用いられるデバイス調整情報を保持するデバイス調整情報保持部を更に備え、デバイス調整を行った後で前記再描画を指示されたときに、デバイス調整後に、該デバイス調整情報を前記デバイス調整情報保持部に登録した後で、前記デバイス依存ジョブ保持部内のすべての前記デバイス依存ジョブを削除するとともに、バックグランドにおいて、前記ジョブハンドラーにより前記デバイス非依存ジョブに基づいて画像データを生成し、該画像データを前記コマンドジェネレーターに出力し、該コマンドジェネレーターにより、前記ジョブハンドラーから入力した前記画像データと、前記デバイス調整情報保持部の前記デバイス調整情報とを参照し、必要に応じた前記画像データ調整・処理を施して再描画用の前記デバイス依存ジョブを再生成することを特徴とする。
【００１４】
本適用例によれば、例えば、カラーキャリブレーション、キャリッジ交換、ヘッド交換などのデバイス調整を行ったあとで、デバイス調整直前の描画において用いた作成済みの印刷実行データにより再印刷が指示された場合にも、バックグランドで処理されたデバイス依存ジョブを選択してその処理時間のみで再描画することができるので、生産性の向上を図ることができる。
【図面の簡単な説明】
【００１５】
【図１】描画方法の一実施形態にかかる描画システムの概略構成及び制御の流れの要点を示すブロック図。
【図２】描画方法の一実施形態を示すフローチャート。
【発明を実施するための形態】
【００１６】
以下、本発明の描画方法の一実施形態について、図面を参照して説明する。なお、以下の説明において参照する図面では、図示の便宜上、部材や各部の縦横の縮尺を実際のものとは異なるように表す場合がある。
【００１７】
〔描画システム〕
まず、本実施形態の描画方法に用いる描画システムについて説明する。
図１は、本実施形態の描画方法にかかる描画システムの概略構成、及び、制御の流れの要点を示すブロック図である。
図１において、描画システム１は、例えばパーソナルコンピューターを含み印刷ジョブを生成する印刷データ処理部１００と、該印刷データ処理部１００から印刷ジョブを受信してプリントアウト（描画）を出力する例えばインクジェットプリンターまたはレーザープリンターのような電子式のプリンター部２００と、を備えている。印刷データ処理部１００とプリンター部２００とは、通信ネットワークまたは専用通信ケーブルのような通信装置を介して相互通信可能であり、両者間の通信パスに例えばプリントサーバーのような第３装置が介在してもよい。
【００１８】
印刷データ処理部１００は、デバイス非依存ジョブを保持するデバイス非依存ジョブ保持部１５１、及び、デバイス依存ジョブを保持するデバイス依存ジョブ保持部１５２を含むジョブストレージ１５０と、デバイス非依存ジョブ及び前記デバイス依存ジョブを制御するジョブマネージャー１１０とを有している。ここで、デバイス非依存ジョブとは、デバイス、即ち、描画システム１の描画動作に伴うデバイスの変化に依存しない印刷ジョブのことであり、例えば、描画する画像のビットマップデータなどを指す。また、デバイス依存ジョブとは、描画システム１のデバイスの変化、例えば、装置の発熱に伴う印刷量のばらつきや、キャリブレーションの実施などのデバイス調整情報の変化に依存するジョブのことを指す。
また、印刷データ処理部１００は、ジョブハンドラー１２０と、コマンドジェネレーター１３０と、デバイス依存ジョブ有効性監視モジュール１４０と、デバイス調整情報保持部１６０、及び、デバイス依存ジョブ送信モジュール１７０を有している。
ジョブハンドラー１２０は、ジョブストレージ１５０から出力された１以上のデバイス非依存ジョブに基づいて画像データを作成して一時的に記憶し、コマンドジェネレーター１３０がその画像データを受信できる状態になるとその画像データをコマンドジェネレーター１３０に送信する。
デバイス調整情報保持部１６０は、描画する画像濃度の補正に用いられるデバイス調整情報、例えば、キャリブレーションや、キャリッジ交換などのデバイス調整にかかるデバイス調整情報を保持する。
コマンドジェネレーター１３０は、ジョブハンドラー１２０から受信した上記画像データ、及び、デバイス調整情報保持部１６０の上記デバイス調整情報を参照し、必要に応じてデバイス調整処理を行って、デバイス依存ジョブを生成する。
デバイス依存ジョブ有効性監視モジュール１４０は、デバイス依存ジョブ保持部１５２に格納された最新のデバイス依存ジョブの有効性を監視し、該有効性の判定結果を印刷ジョブ（デバイス依存ジョブ）の生成（再生成）に反映させる。
デバイス依存ジョブ送信モジュール１７０は、印刷データ処理部１００が生成、再生成した最新の印刷ジョブ（デバイス依存ジョブ）をデバイス依存ジョブ保持部１５２から受信し、プリンター部２００へ送信する。
【００１９】
プリンター部２００は、印刷データ処理部１００のデバイス依存ジョブ送信モジュール１７０から印刷ジョブ（デバイス依存ジョブ）を受信するプリンターコントローラー（不図示）、プリンターコントローラーに応答してプリントアウトを出力する印刷エンジン（不図示）、及び、ユーザーにより操作可能でプリンターコントローラーに対して各種のユーザー要求を出力するプリンターコントロールパネル（不図示）などを有する。
【００２０】
〔描画方法〕
次に、上記描画システム１を用いた描画方法の一実施形態について説明する。図２は、第１実施形態のマーキング方法を示すフローチャートである。
【００２１】
＜新規印刷ジョブ投入時の描画方法＞
はじめに、新規印刷ジョブ投入時の描画方法について説明する。
新規印刷ジョブ投入時の描画では、まず、図２のステップＳ１に示すように、ユーザーはジョブマネージャー１１０を操作して、デバイス非依存ジョブを生成（あるいは選択）し、ジョブストレージ１５０のデバイス非依存ジョブ保持部１５１に登録する。
次に、ステップＳ２に示すように、ジョブハンドラー１２０はデバイス非依存ジョブ保持部１５１から出力されるデバイス非依存ジョブを受信し、そのデバイス非依存ジョブに基づいて画像データを生成して、該画像データをコマンドジェネレーター１３０に出力する。
【００２２】
次に、ステップＳ３に示すように、コマンドジェネレーター１３０が、ジョブハンドラー１２０から入力した画像データと、デバイス調整情報保持部１６０のデバイス調整情報とを参照して、必要に応じて画像データの色調整やハーフトーン処理を施してデバイス依存ジョブを生成し、印刷データ処理部１００のデバイス依存ジョブ保持部１５２に出力する。
デバイス依存ジョブ保持部１５２に登録された最新のデバイス依存ジョブは、デバイス依存ジョブ有効性監視モジュール１４０によりその有効性が確認される。
最新のデバイス依存ジョブの有効性が認められた場合（ステップＳ４でＹＥＳ）には、ステップＳ５に進む。
デバイス依存ジョブ有効性監視モジュール１４０によりデバイス依存ジョブが有効ではないと判定された場合（ステップＳ４でＮＯ）には、そのデバイス情報をデバイス調整情報保持部１６０に登録し（ステップＳ９）、登録した該デバイス情報を参照してステップＳ３のコマンドジェネレーター１３０によるデバイス依存ジョブの生成（再生成）を行う。
【００２３】
ステップＳ４で有効性が認められたデバイス依存ジョブは、デバイス依存ジョブ送信モジュール１７０により、デバイス依存ジョブ保持部１５２からプリンター部２００へ出力され（ステップＳ５）、次に、ステップＳ６に示すように、印刷データ処理部１００が新たに生成（あるいは選択）した印刷ジョブ（デバイス依存ジョブ）に基づいてプリンター部２００により印刷媒体への描画を行う。
【００２４】
ステップＳ６の描画ステップで描画された画像は、所望の画像の状態であるか否かを検査して、画像の状態に問題がある場合に必要になるデバイス調整の必要性について判断する。
描画した画像の状態が所望の画像の状態ではなく問題があり、デバイス調整の必要があると判断された場合（ステップＳ７でＹＥＳ）には、ステップＳ３１に進む（後で説明をする）。
画像が所望の状態であってデバイス調整は必要でないと判断できた場合（ステップＳ７でＮＯ）はステップＳ８に進み、次の（１＋Ｎ回目の）描画を行うか否かを判断する。
次の描画を行わない場合（ステップＳ８でＮＯ）は描画を終了する。
【００２５】
＜印刷ジョブ再投入時の描画方法＞
ステップＳ８で次の描画を行う（ＹＥＳ）と判断された場合、即ち、上記新規印刷ジョブに基づく再印刷を指示された場合には、再印刷用の印刷ジョブを生成する。本実施形態では、作成済みの印刷実行データ（デバイス依存ジョブ）により再印刷（描画）が指示された場合には、まず、ステップＳ２１に示すように、デバイス依存ジョブはジョブマネージャー１１０のリストに表示せずに、所望の画像のデバイス非依存ジョブのプロパティーとして該デバイス非依存ジョブに対応するデバイス依存ジョブが有れば(ステップＳ２１でＹＥＳ）、そのデバイス依存ジョブを次の描画の印刷ジョブとすることができるので、ステップＳ４に移行して該デバイス依存ジョブにより以降のステップを進めて再印刷（描画）を行う。
この方法によれば、作成済みの印刷実行データにより再印刷が指示されたときに、ユーザーの手を煩わせることなく、バックグランドで処理されたデバイス依存ジョブを選択してその処理時間のみで再印刷（描画）することができるので、生産性の向上を図ることができる。
【００２６】
一方、ステップＳ２１において、デバイス非依存ジョブに対応するデバイス依存ジョブがない場合（ステップＳ２１でＮＯ）には、ユーザーはジョブマネージャー１１０を操作して、ジョブストレージ１５０のデバイス非依存ジョブ保持部１５１内に格納された過去に登録したデバイス非依存ジョブを選択し（ステップＳ２２）、該デバイス非依存ジョブを次の印刷ジョブとしてステップＳ４に移行して、以降のステップを進めて描画を行う。
【００２７】
＜デバイス調整時の描画方法＞
次に、上記ステップＳ７においてデバイス調整が必要であると判断したとき（ステップＳ７でＹＥＳ）の処理フローについて説明する。
ステップＳ７において、新規印刷ジョブにより描画した画像の状態に問題がありデバイス調整が必要であると判断した場合（ステップＳ７でＹＥＳ）には、ステップＳ３１に進み、デバイス調整を行う。デバイス調整には、カラーキャリブレーション、印刷ヘッドやキャリッジなどの交換などがある。
デバイス調整を行った後には、そのデバイス調整情報をデバイス調整情報保持部１６０に登録する（ステップＳ３２）。
また、デバイス調整を行った後の、描画システム１のアイドリング状態のときなどに、ジョブハンドラー１２０によりデバイス非依存ジョブ保持部１５１から出力されるデバイス非依存ジョブを受信し、そのデバイス非依存ジョブに基づいて画像データを生成して、該画像データをコマンドジェネレーター１３０に出力し（ステップＳ２´）、次に、コマンドジェネレーター１３０により、ジョブハンドラー１２０から入力した画像データと、デバイス調整情報保持部１６０のデバイス調整情報とを参照して、必要に応じた画像データ調整・処理を施してデバイス依存ジョブを生成し、印刷データ処理部１００のデバイス依存ジョブ保持部１５２に出力する（ステップＳ３´）操作をバックグランドで行っておく。
【００２８】
ステップＳ３２でデバイス調整情報をデバイス調整情報保持部１６０に登録した後で、次に、ステップＳ３３でデバイス調整情報が更新されたか否かをみる。デバイス調整情報が正常に更新されていない場合（ステップＳ３３でＮＯ）には、ステップＳ３２に戻ってデバイス調整情報の登録のリトライをする。
デバイス調整情報が正常に更新された場合には（ステップＳ３３でＹＥＳ）、ジョブストレージ１５０のデバイス依存ジョブ保持部１５２内のすべてのデバイス依存ジョブを削除する（ステップＳ３４）。
そして、ステップＳ２´及びステップＳ３´により生成したデバイス依存ジョブを、デバイス調整後の描画の印刷ジョブとしてステップＳ４に進み、以降のステップをふんでデバイス調整後の描画を実行する。
【００２９】
上記実施形態の描画方法によれば、作成済みの印刷実行データにより再印刷が指示された場合や、デバイス調整を行った後で印刷が指示された場合に、バックグランドで処理されたデバイス依存ジョブを選択してその処理時間のみで再印刷（描画）することができるので、生産性の向上を図ることができる。
【００３０】
（変形例）
次に、上記実施形態の描画方法において、作成済みの印刷実行データ（デバイス依存ジョブ）により再印刷（描画）が指示され、それに対して印刷ジョブの選択・再生成をしようとしたときに、バックグランドで実行される印刷ジョブ（デバイス依存ジョブ）の再生成が未だ完了していない場合の印刷ジョブの再生成方法の変形例について説明する。
作成済みの印刷ジョブ（デバイス依存ジョブ）に基づく再印刷を指示された場合に、ユーザーはジョブマネージャー１１０を操作して、ジョブストレージ１５０内のデバイス依存ジョブ保持部１５２内の過去に登録したデバイス依存ジョブを探す。
デバイス依存ジョブ保持部１５２内にデバイス依存ジョブが見つからない場合には、デバイス非依存ジョブ保持部１５１からデバイス非依存ジョブを選択し、ジョブストレージ１５０のデバイス非依存ジョブ保持部１５１に登録する。
ここで、デバイス非依存ジョブの選択は、例えば、印刷ジョブの使用頻度の高さで決定することができる。また、デバイス非依存ジョブの選択は、直近に使用されたデバイス非依存ジョブを選ぶこととしてもよい。
また、バックグランドでデバイス依存ジョブを再生成中である場合には、実行中のデバイス非依存ジョブの再生成処理を継続する。
【００３１】
次に、ジョブハンドラー１２０は再生成されたデバイス非依存ジョブを受信し、そのデバイス非依存ジョブに基づいて画像データを生成して、該画像データをコマンドジェネレーター１３０に出力する。
次に、コマンドジェネレーター１３０が、ジョブハンドラー１２０から入力した画像データと、デバイス調整情報保持部１６０のデバイス調整情報とを参照して、必要に応じて画像データの色調整やハーフトーン処理を施してデバイス依存ジョブを生成し、印刷データ処理部１００のデバイス依存ジョブ保持部１５２に出力する。
デバイス依存ジョブ保持部１５２に登録された最新のデバイス依存ジョブは、デバイス依存ジョブ有効性監視モジュール１４０によりその有効性が確認され、有効性が認められた場合には、該デバイス依存ジョブがデバイス依存ジョブ送信モジュール１７０により、デバイス依存ジョブ保持部１５２からプリンター部２００へ出力される。
そして、印刷データ処理部１００が新たに生成した印刷ジョブ（デバイス依存ジョブ）に基づいてプリンター部２００により印刷媒体への描画を行う。
【００３２】
以上、発明者によってなされた本発明の実施の形態について具体的に説明したが、本発明は上記した実施の形態およびその変形例に限定されるものではなく、その要旨を逸脱しない範囲で種々の変更を加えることが可能である。
【００３３】
例えば、上記実施形態で説明した描画方法は、インクジェットプリンターまたはレーザープリンターのような電子式のプリンター部２００に限らず、例えばスクリーン印刷方式のプリンター部を備えた描画システムにも適用することができる。
【符号の説明】
【００３４】
１…描画システム、１００…印刷データ処理部、１１０…ジョブマネージャー、１２０…ジョブハンドラー、１３０…コマンドジェネレーター、１４０…デバイス依存ジョブ有効性監視モジュール、１５０…ジョブストレージ、１５１…デバイス非依存ジョブ保持部、１５２…デバイス依存ジョブ保持部、１６０…デバイス調整情報保持部、１７０…デバイス依存ジョブ送信モジュール、２００…プリンター部。
【図１】
2013161156.tif 000003
【図２】
2013161156.tif 000004